(57)【要約】      （修正有）【課題】ユニットルームの隅角部において、壁パネル裏面への突出を最小限に抑えつつ、高い固定強度を確保し、また、壁パネルの位置決めが容易な壁パネル支持構造を提供する。【解決手段】隣接直交する壁パネル１０の側縁部同士を、コーナー支柱３０を介して連結する入隅部における壁パネル１０の支持構造において、上記コーナー支柱は、上記壁パネルの小口のそれぞれを受け止める２つの小口受け止め面と、該小口受け止め面と直交し上記壁パネルの裏面端部のそれぞれを受け止める２つの裏面受け止め縁３０ｂと、上記２つの小口受け止め面を接続する接続部とから構成され、上記小口受け止め面と裏面受け止め縁とが直交する入り隅に沿って、凹溝３０ｆが設けられる。この凹溝は、前記小口受け止め面に設けられることが好ましい。【選択図】図９
2006183438.tif 000002
【特許請求の範囲】
【請求項１】
直交する２枚の壁パネルの小口のそれぞれを受け止める２つの小口受け止め面と、該小口受け止め面と直交し上記壁パネルの裏面端部のそれぞれを受け止める２つの裏面受け止め緑と、上記２つの小口受け止め面を接続する接続部とから構成され、上記小口受け止め面と裏面受け止め緑とが直交する入り隅に沿って、凹溝が設けられたことを特徴とするコーナー支柱。
【請求項２】
前記凹溝は、前記小口受け止め面に設けられたことを特徴とする請求項１記載のコーナー支柱。
【請求項３】
隣接直交する壁パネルの側縁部同士を、コーナー支柱を介して連結する入隅部における壁パネルの支持構造において、上記コーナー支柱は、上記壁パネルの小口のそれぞれを受け止める２つの小口受け止め面と、該小口受け止め面と直交し上記壁パネルの裏面端部のそれぞれを受け止める２つの裏面受け止め緑と、上記２つの小口受け止め面を接続する接続部とから構成され、上記小口受け止め面と裏面受け止め緑とが直交する入り隅に沿って、凹溝が設けられたことを特徴とする壁パネルの支持構造。
【請求項４】
隣接直交する２枚の壁パネルと、
床面の周縁コーナー部に立設され、上記壁パネルの小口のそれぞれを受け止める２つの小口受け止め面と、該小口受け止め面と直交し上記壁パネルの裏面端部のそれぞれを受け止める２つの裏面受け止め緑と、上記２つの小口受け止め面を接続する接続部とから構成され、上記小口受け止め面と裏面受け止め緑とが直交する入り隅に沿って凹溝が設けられたコーナー支柱と、
を備えることを特徴とするユニットルーム。
【発明の詳細な説明】
【技術分野】
【０００１】
本発明は、浴室等のユニットルームの壁面を構成する壁パネルの支持構造に係り、特に隅角部における壁パネルの支持構造に関する。また、本発明は、斯かる壁パネル支持構造を用いたユニットルームに関する。
【背景技術】
【０００２】
ユニットルームは、床，壁，天井に給排水設備や電気設備等を組合せて構成された室型ユニットであり、中でも、それ自身で平面を維持できる程度の強さをもった板状のパネルを接続して壁面を構成するパネル方式のものは、ユニットバスルーム、ユニットシャワールーム、ユニットトイレルーム等で広く採用されている。
【０００３】
このパネル方式によるユニットルームの隣接直交する２つの壁パネルの接合方法として、図１１に示すように、ユニットルームの床に立設された支柱１１３に、間隔をおいて直交する２つの壁パネル１１１，１１２を、裏面からねじ１１４等によって取り付けるものが知られている（例えば、特許文献１参照。）。
【０００４】
この支柱１１３は、壁パネル１１１，１１２の小口を受け止める面１１３ｂとこの面１１３ｂと直交し裏面端部を受け止める緑１１３ａとを持ち、これらはそれぞれ壁パネル１１１，１１２の小口及び裏面に当接される。そして、小口を受ける面１１３ｂ、１１３ｂの端部同士は、接続部１１３ｃにより接続され一体化されている。
【０００５】
この方法によれば、壁パネル１１１，１１２裏面へ突出する部材が、支柱１１３の厚みとねじ１１４の頭だけなので、壁パネル裏面のクリアランスを小さくすることが可能となり、したがって、この方法は、ユニットルーム用として与えられた面積をフルに活用することができる合理的なものと言える。
【特許文献１】特開昭５８−２０４２４８号公報
【発明の開示】
【発明が解決しようとする課題】
【０００６】
この支柱１１３としては、十分な強度があり、コストも比較的安い亜鉛メッキ鋼板を曲げ加工により製作するのが有利である。しかしながら、曲げ加工によれば、図１２（ａ）に示すように、小口を受け止める面１１３ｂと裏面端部を受け止める緑１１３ａとの直交部１１３ｄに曲げＲが発生する。この直交部１１３ｄの曲げＲの存在により、壁パネル１１１，１１２と、小口を受け止める面１１３ｂまたは裏面を受け止める面１１３ａの少なくとも一方との間に隙間Ｇが空いてしまい、壁パネル１１１，１１２が定位置に納まり難い。
【０００７】
また、この隙間Ｇが生じると、支柱１１３が壁パネル１１１，１１２と当接する面が減少して、両壁パネル１１１，１１２を剛に接合することができず構造強度が低下する虞がある。この強度低下を補うべく支柱１１３自体の強度すなわち断面二次モーメントを増すには、支柱１１３の奥行き寸法、すなわち厚さを大きくしなければならず、この厚さの増加によって壁パネル位置が室内側に押し出され、ユニットルームの室内空間が狭くなる。
【０００８】
一方、図１２（ｂ）に示すように、壁パネル１１１，１１２の小口と裏面との直交部に面取り１１１ａ，１１２ａ等を施して、この隙間を回避する手段があるが、単純に壁パネル１１１，１１２を切断する場合に比較して、壁パネル１１１，１１２の製造に手間がかかることになる。
【０００９】
特に、大き目の壁パネルを組立現場に持ち込んで、その現場の設置空間に合わせて壁パネルを切断して納める工法の場合には、面取り専用の加工機械などが使えないため、非常に手間がかかる。
【００１０】
支柱１１３を、押出し成形されたアルミ材により形成すれば、この曲げＲの問題は解消するが、強度を確保するためには相当の厚さが必要になり、またコストも高く、さらに壁パネル裏面が亜鉛メッキ鋼板等で裏打ちされている場合、異種金属との接触により電触が生じるという問題がある。
【００１１】
本発明は、上述した事情を考慮してなされたもので、ユニットルームの隅角部において、壁パネル裏面への突出を最小限に抑えつつ、高い固定強度を確保し、また、壁パネルの位置決めが容易な壁パネル支持構造を提供することを目的とするものである。
【課題を解決するための手段】
【００１２】
本発明に係るコーナー支柱は、上述した課題を解決するために、請求項１に記載したように、直交する２枚の壁パネルの小口のそれぞれを受け止める２つの小口受け止め面と、該小口受け止め面と直交し上記壁パネルの裏面端部のそれぞれを受け止める２つの裏面受け止め緑と、上記２つの小口受け止め面を接続する接続部とから構成され、上記小口受け止め面と裏面受け止め緑とが直交する入り隅に沿って、凹溝が設けられたものである。
【００１３】
この凹溝は、好適には、請求項２に記載したように、前記小口受け止め面に設けられることが望ましい。
【００１４】
次に、上述した課題を解決するために、請求項３に係る壁パネルの支持構造は、隣接直交する壁パネルの側縁部同士を、コーナー支柱を介して連結する入隅部における壁パネルの支持構造において、上記コーナー支柱は、上記壁パネルの小口のそれぞれを受け止める２つの小口受け止め面と、該小口受け止め面と直交し上記壁パネルの裏面端部のそれぞれを受け止める２つの裏面受け止め緑と、上記２つの小口受け止め面を接続する接続部とから構成され、上記小口受け止め面と裏面受け止め緑とが直交する入り隅に沿って、凹溝が設けられたものである。
【００１５】
そして、上述した課題を解決するために、請求項４に係るユニットルームは、隣接直交する２枚の壁パネルと、床面の周縁コーナー部に立設され、上記壁パネルの小口のそれぞれを受け止める２つの小口受け止め面と、該小口受け止め面と直交し上記壁パネルの裏面端部のそれぞれを受け止める２つの裏面受け止め緑と、上記２つの小口受け止め面を接続する接続部とから構成され、上記小口受け止め面と裏面受け止め緑とが直交する入り隅に沿って凹溝が設けられたコーナー支柱とを備えるものである。
【発明の効果】
【００１６】
本発明に係るコーナー支柱、壁パネル支持構造、及びユニットルームによれば、ユニットルームの隅角部において、壁パネル裏面への突出を最小限に抑えつつ、高い固定強度を確保し、また、壁パネルの位置決めが容易に行えるという効果がある。
【００１７】
また、端部が切放し形状の単純な壁パネルを採用することができる効果が得られる。
【発明を実施するための最良の形態】
【００１８】
本発明に係るコーナー支柱、壁パネル支持構造及びユニットルームの実施の形態について、添付図面を参照して説明する。図１は、本発明に係るコーナー支柱を構成要素とするユニットルーム１の全体的な概要を示すものである。本実施形態に示されたユニットルーム１は、床２と、壁３と、コーナー支柱３０と図示しない天井パネル及び出入り口とを備え、一定の広さを有する空間を形成する。
【００１９】
床２は、建築床或いは防水パンで構成され、床２の四周には、壁３を構成する壁パネル１０を載置可能な壁パネル載置部２ａが形成される。
【００２０】
コーナー支柱３０は、この床の四隅に立設され、壁パネル１０，１０Ａの荷重を支持するとともに、壁パネルの表面相互間で出入りが生じないように立設状態に保持するものである。このコーナー支柱３０は、室内側に位置するコーナー目地２０と協働して壁パネル１０，１０Ａを挟持する。
【００２１】
コーナー目地２０は、図２に示すように、目地本体２０ａと、軟質部２０ｂと、支持部２０ｃとを備える。目地本体２０ａは、ＡＢＳ樹脂等の硬質プラスティックを細長い略三角柱状に成形したものであり、壁パネル１０と、直交するもう一方の壁パネル１０との突き合わせ端部を掩蔽し、水密性及び意匠性を高めるものである。
【００２２】
軟質部２０ｂは、例えばオレフィン系エラストマーからなる柔軟な部材で、コーナー目地２０が壁パネル１０に押圧されると変形して壁パネル１０に圧着され、水密性を高める。
【００２３】
支持部２０ｃは、例えばステンレス鋼板を２つに折曲して断面が略Ｙ字状の棒体に形成される。支持部２０ｃには、一定の間隔で係入片２０ｄが複数突設される。この係入片２０ｄが、コーナー支柱３０に穿設された、後述するスリット３０ｄに係入されることにより、壁パネル１０がコーナー目地２０及びコーナー支柱３０に挟持される。
【００２４】
コーナー支柱３０は、図３（ａ）に示すように、細長い、例えば亜鉛メッキ鋼板等を折曲加工したもので、その短手方向断面は、図３（ｃ）に示すように、中央のコーナー目地掛合部３０ａと、このコーナー目地掛合部３０ａの両側端で４５度の角度で折曲された壁パネル受け部３０ｂ，３０ｂとからなる。そして、コーナー目地掛合部３０ａから壁パネル受け部３０ｂへの折曲部のコーナー目地掛合部３０ａ側では、材料がさらに折曲されて小さな溝部３０ｆが形成される。
【００２５】
コーナー目地掛合部３０ａには、所定の間隔で、コーナー目地２０の係入片２０ｄが係入される複数のスリット３０ｄが穿設されている。一方、壁パネル受け部３０ｂには、図３（ｂ）に示すように、壁パネル１０，１０Ａ据付時において、上段及び下段の壁パネル１０，１０Ａに設けられた掛止孔１２ａが対向する位置に、この掛止孔１２ａに嵌挿されるピン３０ｄが突設される。また、コーナー目地掛合部３０ａの下端近傍には、コーナー支柱３０を、アングルピース等を介して床２の壁パネル載置部２ａに立設するためのボルト孔３０ｅが穿設される。
【００２６】
壁３は、壁パネル載置部２ａ上に立設された下段の壁パネル１０と、その上に載置された上段の壁パネル１０Ａとから構成される。壁パネル１０，１０Ａは、さねはぎ（一方を凸，他方を凹に彫って合わせる板の接合方法）に接合されて、床２の外縁に設けられた壁パネル載置部２ａ上に載置され、立設されたコーナー支柱３０，３０間に渡設される。したがって、壁３の中間に支柱を設ける必要はない。本実施形態では２段の場合を例に採って説明するが、天井高さが高い場合等では、３段或いはそれ以上の壁パネルを積み上げて壁３を構成してもよい。
【００２７】
例えば、ユニットルームの一形態であるユニットバスでは、その大きさが長さ１６００×幅１６００×高さ２０００ｍｍ程度が主流である。この場合、従来の縦張り型壁パネルでは、１枚のパネルの長さ（高さ）は、２０００ｍｍ前後となる。ところが、本発明に係る横積み構造の壁パネルでは、その長さが１６００ｍｍ前後となるので、運搬時や組立時においての振り回しが容易になる。
【００２８】
ユニットルーム１の壁３を構成する壁パネルのうち下段に設置される壁パネル１０は、図４に示すように、芯材１２に、室内側に面する表面材１１と、室外側に面する裏面材１３とが接着剤により貼着されて形成される。表面材１１及び裏面材１３には、例えば化粧鋼板が用いられ、芯材１２には、例えば石膏ボード、セメント板、珪酸カルシウム板或いは発泡樹脂製の板等が用いられる。この構成により、壁パネル１０自体の厚さは略１２ｍｍ程度に抑えられ、また、重量も軽く、運搬上及び組立上取り扱い易いものとなっている。そして、安価に製造することができる。
【００２９】
表面材１１の上側端は、図４（ｃ）に示すように、背面側に折曲されて、さねはぎ接合に供される凸条１４が形成される。この凸条１４は、室内側底部１４ａと室外側底部１４ｃとの中央に、頂部１４ｂが立設される。
【００３０】
これに対し、表面材１１の下側端は、図４（ｄ）に示すように、背面側に折曲されて凹溝１５が形成される。この凹溝１５は、壁パネル１０の厚さ方向中央に位置する底部１４ｂを挟んで、室内側頂部１５ａと室外側頂部１５ｃとが立設される。
【００３１】
一方、壁パネル１０の両側端は、図４（ｅ）に示すように、芯材１２に表面材１１と裏面材１３とが貼着された後単純に切断されたままとなっている。このように、両側端は切断後何ら加工を必要としないので、押出製法等により連続して生産することが可能となり、生産コストを低減することができる。
【００３２】
また、壁パネル１０の背面には、上方の両端近傍に図４（ｃ）に示す掛止孔１２ａが凹設される。壁パネル１０は、この掛止孔１２ａが、支柱４に突設されたピン３０ｄに掛止されて立設される。
【００３３】
図５に、壁パネル１０表面に複数本、縦横に施された化粧目地の詳細を示す。表面材１１は、同図に示すように、接着層１１ｃを介して芯材１２に貼着された鋼板１１ｂの表面に０．５ｍｍ程度の厚さの樹脂製シートでなる被覆意匠層１１ａが貼着されたものである。被覆意匠層１１ａには、例えば、浴室壁仕上げ材としては高価とされるタイル様の意匠が施される。
【００３４】
化粧目地１７は、押し目地部１７ａと、削り目地部１７ｂとからなる。押し目地部１７ａは、被覆意匠層１１ａ及び鋼板層１１ｂがプレス加工により、折曲されて形成され、削り目地１７ｂは、被覆意匠層１１ａの上層部が切削されて形成される。
【００３５】
浴室壁仕上げ材として実際にタイルを使用した場合、タイル間の接合部には白セメント等を用いた目地が形成されるが、表面がざらざらして汚れが付き易く、また、カビ等も付着し易いという欠点がある。ところが、本実施形態に示す被覆意匠層１１ａ及び化粧目地１７を採用することにより、安価な材料ながら高級感を出すことが出来るとともに、汚れ難い目地を形成することができる。また、目地部を押し目地部１７ａと削り目地部１７ｂとの２段に形成することにより凹部に陰影がついて更に意匠目地らしい高級感が増す効果がある。
【００３６】
ユニットルーム１の壁３を構成する壁パネルのうち上段に設置される壁パネル１０Ａは、基本的には壁パネル１０と同様の構成であるが、その上側端が単純に背面側に折曲されている点で壁パネル１０と相違する（図７参照）。
【００３７】
本実施の形態に係るユニットルーム１は上記のように構成されており、以下その壁パネルの取付順序について、図６に示すフローチャートを参照して説明する。
【００３８】
まず、建築床或いは防水パン等の床２上に、コーナー支柱３０を立設する（ステップＳ１）。この立設は、例えば、床２上にアングルピースを固定し、このアングルピースに穿設されたボルト孔と、コーナー支柱材３０のボルト孔３０ｅとにボルトを連通螺挿して行う。
【００３９】
次に、下段の壁パネル１０の掛止孔１２ａを、立設されたコーナー支柱３０のピン３０ｄに外嵌させて、壁パネル１０を立設する（ステップＳ２）。このユニットルームが水密性を要求されるものであれば、図７（ｂ）に示すように、壁パネル載置部２ａ上に水密材５０を敷設してから壁パネル１０を載置する。このとき、壁パネル１０は、コーナー支柱３０により立設されているので、折曲された表面材１１の下端に自重が完全にかかることはなく、表面材１１が変形する虞がない。
【００４０】
そして、上段の壁パネル１０Ａ下端の凹溝１５を、下段の壁パネル１０上端の凸条１４に嵌合させてさねはぎ接合させた後、上段の壁パネル１０Ａの係止孔１２ａを、立設されたコーナー支柱３０のピン３０ｄに外嵌させて、壁パネル１０Ａを立設する（ステップＳ３）。このように、係止孔１２ａをピン３０ｄに外嵌させるだけで位置決めができるので、作業員が一人でも容易に壁パネルを組み立てることができる。
【００４１】
続いて、図８に示すように、コーナー目地２０の係入片２０ｄを、コーナー支柱３０のスリット３０ｃに係入させて、コーナー目地２０を取り付ける（ステップＳ４）。これにより、図９に示すように、壁パネル１０，１０Ａは、コーナー支柱３０とコーナー目地２０とに挟持され、壁パネル１０，１０Ａの掛止孔１２ａがコーナー支柱３０のピン３０ｄから脱落することなく、堅固に固定される。
【００４２】
この際、コーナー目地掛合部３０ａから壁パネル受け部３０ｂへの折曲部が単純な曲げ加工で折曲されただけであれば、壁パネル受け部３０ｂの小口を受け止める面と裏面端部を受け止める緑との直交部に曲げＲが発生する。この直交部の曲げＲの存在により、図１２（ａ）に示したように、壁パネル１０と、壁パネル受け部３０ｂの小口を受け止める面または裏面を受け止める縁の少なくとも一方との間に隙間Ｇが空いてしまい、壁パネル１０が定位置に納まり難くなる。
【００４３】
しかしながら、本実施形態に係るコーナー支柱３０には、コーナー目地掛合部３０ａから壁パネル受け部３０ｂへの折曲部に溝部３０ｆが形成されているので、この直交部に曲げＲがなくなり、壁パネルの裏面側端部を容易にこの直交部に納めることができ、取付作業も容易となる。
【００４４】
このように壁パネル１０，１０Ａが固定されると、その両側端は、コーナー目地２０の目地本体２０ａ及びコーナー支柱３０により掩蔽されるので、その切断面が見えることはなく、特別な保護も必要としない。これにより、端部が切放し形状の単純な壁パネルを採用することが可能となり、生産コストが抑えられるとともに、取付作業も用意となる。
【００４５】
また、コーナー目地２０の背面側にある軟質部２０ｂは、壁パネル１０，１０Ａと目地本体２０ａとの間で押圧されて変形し、壁パネル１０，１０Ａに圧着されて水密性が高められる。また、壁パネル１０，１０Ａが押圧されることにより、上段の壁パネル１０Ａと下段の壁パネル１０との間に段差が生じないので、意匠性が低下することもない。
【００４６】
このように、壁パネル１０，１０Ａの取付には、ビス止めやボルト締め等の工程がないので工数が減少し、工期の短縮、延いてはコストの低減が可能となる。また、コーナー目地２０の係入片２０ｄをコーナー支柱３０のピン３０ｄに係入させるだけで壁パネルを固定できるので、作業員が一人でも容易に壁パネルを組み立てることができる。
【００４７】
こうして立設された壁３上に天井パネル４０を載置すれば（ステップＳ５）、ユニットルームの外枠が完成する。天井パネル４０の取付は、例えば図７（ｂ）に示すように、天井パネル４０の端部を、接続ピース４１の嵌合凹部４１に嵌合させ、この接続ピース４１のもう一方の嵌合凹部４１ｂを、壁パネル１０Ａの上端に嵌合させて行う。
【００４８】
以上に説明した実施態様は説明のためのものであり、本発明の範囲を制限するものではない。従って、当業者であればこれらの各要素もしくは全要素をこれと均等なものによって置換した実施態様を採用することが可能であるが、これらの実施態様も本発明の範囲に含まれる。
【００４９】
例えば、図１０に示すように、溝部３０ｆをコーナー目地掛合部３０ａから壁パネル受け部３０ｂへの屈曲部の壁パネル受け部３０ｂ側に設けてもよい。このコーナー支柱３０Ａでは、この溝部３０ｆの裏側が、２枚の壁パネル１０，１０の直交部分ではなく、壁パネル１０の裏面側に突出することになるので、壁パネル１０と建築壁との間の距離を少しでも小さくするという点では不利であるが、このような要求がないところでは十分使用可能である。
【００５０】
また、本実施形態においては、横積み構造のものを例にとって説明したが、本発明はこれに限られず、縦張り型の壁パネルにおいても、壁面中間に中間支柱を設ける必要が生じるにしても、採用することが可能である。
【００５１】
また、ユニットルームも、ユニットバスルーム、ユニットシャワールーム、ユニットトイレルーム等に限られず、物置やトランクルーム等であってもよい。
【図面の簡単な説明】
【００５２】
【図１】本発明に係る壁パネル及びその接続構造を備えるユニットルームの全体概要を示す図。
【図２】コーナー目地の詳細図で、（ａ）は側面図、（ｂ）は（ａ）中のＡ−Ａ矢視図。
【図３】コーナー支柱の詳細図で、（ａ）は正面図、（ｂ）は（ａ）中のＢ−Ｂ矢視図、（ｃ）は同Ｃ−Ｃ矢視図、（ｄ）は同Ｄ部拡大図。
【図４】壁パネルの詳細図で、（ａ）は正面図、（ｂ）は側面図、（ｃ）は（ａ）中のＥ−Ｅ矢視図，（ｄ）は同Ｆ−Ｆ矢視図、（ｅ）は同Ｈ−Ｈ矢視図。
【図５】図４（ａ）中のＪ−Ｊ矢視図。
【図６】本実施形態に係るユニットルームの壁パネル組立順序を示すフローチャート。
【図７】図１に示された壁パネルの取付を説明する図であり、（ａ）は組立前の、（ｂ）は組立後の縦断面図。
【図８】コーナー支柱にコーナー目地を取り付ける様子を説明する図。
【図９】壁パネルの取付状態を示す横断面図。
【図１０】コーナー支柱の変形例を示す断面図。
【図１１】従来のコーナー支柱及びこのコーナー支柱を用いた壁パネル接続構造の一例を示す図。
【図１２】（ａ）は従来のコーナー支柱の曲げＲの問題点を説明する図、（ｂ）は壁パネル裏面に面取りを施した図。
【符号の説明】
【００５３】
１  ユニットルーム
２  床
２ａ  壁パネル載置部
３  壁
１０，１０Ａ  壁パネル
１１  表面材
１１ａ  被覆意匠層
１１ｂ  鋼板層
１１ｃ  接着層
１２  芯材
１２ａ掛止孔
１３  裏面材
１４  凸条
１４ａ  室内側底部
１４ｂ  頂部
１４ｃ  室外側底部
１５  凹溝
１５ａ  室内側頂部
１５ｂ  底部
１５ｃ  室外側頂部
１６，５０  水密材
１７  化粧目地
１７ａ  押し目地部
１７ｂ  削り目地部
２０  コーナー目地
２０ａ  目地本体
２０ｂ  軟質部
２０ｃ  支持部
２０ｄ  係入片
３０  コーナー支柱
３０ａ  コーナー目地掛合部
３０ｂ  壁パネル受け部
３０ｃ  スリット
３０ｄ  ピン
３０ｅ  ボルト孔
３０ｆ  溝部
４０  天井パネル
４１  接続ピース
４１ａ，４１ｂ  嵌合凹部
【図１】
2006183438.tif 000003
【図２】
2006183438.tif 000004
【図３】
2006183438.tif 000005
【図４】
2006183438.tif 000006
【図５】
2006183438.tif 000007
【図６】
2006183438.tif 000008
【図７】
2006183438.tif 000009
【図８】
2006183438.tif 000010
【図９】
2006183438.tif 000011
【図１０】
2006183438.tif 000012
【図１１】
2006183438.tif 000013
【図１２】
2006183438.tif 000014